(57)【特許請求の範囲】
【請求項１】
ベースを含み、前記ベースの上端には固定台が固定的に連結され、前記固定台の中には上方に開口する旋転空間が設置され、前記旋転空間の中には上端が外部空間に位置する旋転柱が設置され、前記旋転柱の中には上方に開口する回転空間が設置され、かつ前記回転空間の左右端壁が外部空間に連通し、前記回転空間の中には上端が外部空間に位置する回転ロッドが設置され、前記旋転空間の左右端壁の中には前記回転ロッドの回転を制限する支持機構が設置され、前記旋転柱の中には前記支持機構の運動を制限する位置制限機構が設置され、前記回転ロッドの上側には照明機能を有する照明機構が設置され、前記照明機構は作動ブロックを含み、前記回転ロッドの中には上方に開口する伸縮空間が設置され、前記伸縮空間の中には上端が前記作動ブロックと固定的に連結された伸縮ロッドが設置され、前記作動ブロックの左端面には照明灯ホルダが固定的に連結され、前記照明灯ホルダの左端には照明用の電球が装着され、前記照明灯ホルダの前後上下の端面にはいずれも二枚の固定ブロックが固定的に連結され、二枚の前記固定ブロックの間には旋転軸が回転可能に連結され、前記旋転軸には集光機能を有する集光板が回転可能に連結され、前記集光板と前記旋転軸とがトーションばねにより連結され、前記照明灯ホルダにはまた前記照明灯ホルダの左端に貫通された回転ブロックがスライド可能に連結され、前記回転ブロックには前記回転ブロックの左端に貫通された支持板がスライド可能に連結され、前記回転ブロックの上端には上端が上側の前記集光板の上端面と固定的に連結された連結紐が固定的に連結され、前記作動ブロックの中にはまた前記集光板の回転を制御する制御機構が設置され、手動で前記照明機構及び前記制御機構を操作することで、前記集光板が回転でき、そうして集光或いは光り拡散を実現することを特徴とする車両メンテナンス用の照明装置。
【請求項２】
前記支持機構は前記旋転柱の上端に貫通された制限板を含み、前記旋転空間の左右端壁の中にはいずれも上方に開口する支持空間が設置され、前記支持空間の中には支持ロッド及び支持ばねが設置され、前記支持ロッドの上端が前記制限板と固定的に連結され、前記支持ばねが前記支持ロッドを支え、前記支持ロッドの中には位置制限孔が設置され、前記位置制限孔において前記旋転空間に近接する端壁が前記支持空間に連通し、前記支持空間において前記旋転空間に近接した端壁の中には貫通空間が設置され、前記貫通空間が前記旋転空間と前記支持空間とを連通させ、前記貫通空間の下端壁の中には上方に開口するスライド溝が形成され、前記貫通空間の中には一端が前記旋転空間の中に位置する位置制限ブロックが設置され、前記スライド溝の中にはばねロッド及びスライドばねが設置され、前記ばねロッドの上端が前記位置制限ブロックと固定的に連結され、前記スライドばねが前記ばねロッドと前記スライド溝の端壁とを連結し、前記制限板の上端面の中にはまた上方に開口する押し空間が設置され、前記押し空間の中にはタッチスイッチ及び復帰ばねが設置され、前記タッチスイッチの上端が外部空間に位置し、前記復帰ばねが前記タッチスイッチを支えることを特徴とする請求項１に記載の車両メンテナンス用の照明装置。
【請求項３】
前記位置制限機構は前記回転空間の前後端壁の間に回転可能に連結された回転軸を含み、前記回転軸が前記回転ロッドの下端を貫通し、かつ前記回転ロッドと固定的に連結され、前記回転空間の下端壁の中には上方に開口する上げ空間が設置され、前記上げ空間の中には上げロッド及び下押しばねが設置され、前記上げロッドの上端が前記回転空間の中に位置し、前記下押しばねが前記上げロッドを支え、前記上げロッドの上端には上端が前記回転ロッドの下端と接触する上げ板が固定的に連結され、前記上げ空間の下端壁の中には下押し空間が設置され、前記下押し空間の下端壁の中には環状空間が設置され、前記環状空間の外端壁が前記旋転空間に連通し、かつ前記環状空間の上端壁が前記下押し空間に連通し、前記環状空間の中には上端が前記下押し空間の中に位置する環状エアクッションが設置され、前記環状エアクッションの上側にはまた前記下押し空間の中で昇降できる下押し板が設置され、前記下押し板の上端には上端が前記上げロッドの下端と固定的に連結された下押しロッドが固定的に連結され、前記回転ロッドの中には上方に開口する伸縮空間が設置され、前記伸縮空間の中には上端が前記回転ロッドの上端壁を貫通して前記作動ブロックと固定的に連結された伸縮ロッドが設置されていることを特徴とする請求項１に記載の車両メンテナンス用の照明装置。
【請求項４】
前記制御機構は上方に開口する摩擦空間を含み、前記摩擦空間の中には上端が外部空間に位置する摩擦ブロックが設置され、前記摩擦ブロックの上端には摩擦板が固定的に連結され、前記摩擦空間の左端壁の中には右方に開口する摩擦孔が四つ設置され、前記摩擦孔の中には連結ロッド及び伸縮ばねがスライド可能に連結され、前記連結ロッドの右端が前記摩擦空間の中に位置し、前記伸縮ばねが前記連結ロッドを復帰させることができ、前記連結ロッドの左端には左端が前記摩擦孔の左端壁を貫通して前記集光板の右端と固定的に連結されたロープが固定的に連結され、前記連結ロッドの中には右方に開口する連結孔が設置され、前記連結孔の中には右端が前記摩擦ブロックと固定的に連結された位置制限ロッドがスライド可能に連結されていることを特徴とする請求項１に記載の車両メンテナンス用の照明装置。
【請求項５】
前記伸縮ばねの弾力は前記トーションばねの弾力と、前記連結ロッドと前記連結孔との間の摩擦力との総合より大きく、前記回転軸と前記回転ロッドの左右端面との間の距離は、前記回転軸と前記回転ロッドの下端との間の距離より長いことを特徴とする請求項４に記載の車両メンテナンス用の照明装置。
【発明の詳細な説明】
【技術分野】
【０００１】
本願発明は照明器具分野に関し、具体的には車両メンテナンス用の照明装置である。
【背景技術】
【０００２】
人々の生活水準の向上に伴い、自家用車は徐々に我々の生活に入る。人が毎日使用する乗り物としての車は、長時間使用されると故障する可能性がある。車は体積が大きく、内部構造が複雑で、メンテナンスが面倒であり、また車には暗いコーナーがあるため、メンテナンス作業員は車の内部構造がはっきり見えなく、従って、車両メンテナンス用の照明装置の需要が高まっている。
現在、手持ち式の懐中電灯で直接車の内部構造を照らして検査とメンテナンスを行うメンテナンス作業員がある。しかし、手で懐中電灯を持つ必要であるため、メンテナンスに不便を与える。また、シャシの深いところに入る照明設備のほとんどは、高さが低くて、移動が不便で搬送しにくく、その他、一部の照明設備は集光機能或いは拡散機能一つしか備えなく、ニーズによって照明モードを切り換えることができなく、使用が不便であり。そして、作業員は車両底部という暗い場所でメンテナンスをする時に、ツールを入れ替えるのが非常に不便である。
【先行技術文献】
【特許文献】
【０００３】
【特許文献１】中国特許出願公開第１０３６４４４８２号明細書
【発明の概要】
【発明が解決しようとする課題】
【０００４】
本願発明は車両メンテナンス用の照明装置を提供し、車両メンテナンス用の照明ライトが固定されて移動できないなど問題を解決し、車用メンテナンスに便利を与える。
【課題を解決するための手段】
【０００５】
本願発明は以下の技術プランにより実現される。
【０００６】
ベースを含み、前記ベースの上端には固定台が固定的に連結され、前記固定台の中には上方に開口する旋転空間が設置され、前記旋転空間の中には上端が外部空間に位置する旋転柱が設置され、前記旋転柱の中には上方に開口する回転空間が設置され、かつ前記回転空間の左右端壁が外部空間に連通し、前記回転空間の中には上端が外部空間に位置する回転ロッドが設置され、前記旋転空間の左右端壁の中には前記回転ロッドの回転を制限する支持機構が設置され、前記旋転柱の中には前記支持機構の運動を制限する位置制限機構が設置され、前記回転ロッドの上側には照明機能を有する照明機構が設置され、前記照明機構は作動ブロックを含み、前記回転ロッドの中には上方に開口する伸縮空間が設置され、前記伸縮空間の中には上端が前記作動ブロックと固定的に連結された伸縮ロッドが設置され、前記作動ブロックの左端面には照明灯ホルダが固定的に連結され、前記照明灯ホルダの左端には照明用の電球が装着され、前記照明灯ホルダの前後上下の端面にはいずれも二枚の固定ブロックが固定的に連結され、二枚の前記固定ブロックの間には旋転軸が回転可能に連結され、前記旋転軸には集光機能を有する集光板が回転可能に連結され、前記集光板と前記旋転軸とがトーションばねにより連結され、前記照明灯ホルダにはまた前記照明灯ホルダの左端に貫通された回転ブロックがスライド可能に連結され、前記回転ブロックには前記回転ブロックの左端に貫通された支持板がスライド可能に連結され、前記回転ブロックの上端には上端が上側の前記集光板の上端面と固定的に連結された連結紐が固定的に連結され、前記作動ブロックの中にはまた前記集光板の回転を制御する制御機構が設置され、手動で前記照明機構及び前記制御機構を操作することで、前記集光板が回転でき、そうして集光或いは光り拡散を実現する。
【０００７】
さらに、前記支持機構は前記旋転柱の上端に貫通された制限板を含み、前記旋転空間の左右端壁の中にはいずれも上方に開口する支持空間が設置され、前記支持空間の中には支持ロッド及び支持ばねが設置され、前記支持ロッドの上端が前記制限板と固定的に連結され、前記支持ばねが前記支持ロッドを支え、前記支持ロッドの中には位置制限孔が設置され、前記位置制限孔において前記旋転空間に近接する端壁が前記支持空間に連通し、前記支持空間において前記旋転空間に近接した端壁の中には貫通空間が設置され、前記貫通空間が前記旋転空間と前記支持空間とを連通させ、前記貫通空間の下端壁の中には上方に開口するスライド溝が形成され、前記貫通空間の中には一端が前記旋転空間の中に位置する位置制限ブロックが設置され、前記スライド溝の中にはばねロッド及びスライドばねが設置され、前記ばねロッドの上端が前記位置制限ブロックと固定的に連結され、前記スライドばねが前記ばねロッドと前記スライド溝の端壁とを連結し、前記制限板の上端面の中にはまた上方に開口する押し空間が設置され、前記押し空間の中にはタッチスイッチ及び復帰ばねが設置され、前記タッチスイッチの上端が外部空間に位置し、前記復帰ばねが前記タッチスイッチを支える。
【０００８】
さらに、前記位置制限機構は前記回転空間の前後端壁の間に回転可能に連結された回転軸を含み、前記回転軸が前記回転ロッドの下端を貫通し、かつ前記回転ロッドと固定的に連結され、前記回転空間の下端壁の中には上方に開口する上げ空間が設置され、前記上げ空間の中には上げロッド及び下押しばねが設置され、前記上げロッドの上端が前記回転空間の中に位置し、前記下押しばねが前記上げロッドを支え、前記上げロッドの上端には上端が前記回転ロッドの下端と接触する上げ板が固定的に連結され、前記上げ空間の下端壁の中には下押し空間が設置され、前記下押し空間の下端壁の中には環状空間が設置され、前記環状空間の外端壁が前記旋転空間に連通し、かつ前記環状空間の上端壁が前記下押し空間に連通し、前記環状空間の中には上端が前記下押し空間の中に位置する環状エアクッションが設置され、前記環状エアクッションの上側にはまた前記下押し空間の中で昇降できる下押し板が設置され、前記下押し板の上端には上端が前記上げロッドの下端と固定的に連結された下押しロッドが固定的に連結され、前記回転ロッドの中には上方に開口する伸縮空間が設置され、前記伸縮空間の中には上端が前記回転ロッドの上端壁を貫通して前記作動ブロックと固定的に連結された伸縮ロッドが設置されている。
【０００９】
さらに、前記制御機構は上方に開口する摩擦空間を含み、前記摩擦空間の中には上端が外部空間に位置する摩擦ブロックが設置され、前記摩擦ブロックの上端には摩擦板が固定的に連結され、前記摩擦空間の左端壁の中には右方に開口する摩擦孔が四つ設置され、前記摩擦孔の中には連結ロッド及び伸縮ばねがスライド可能に連結され、前記連結ロッドの右端が前記摩擦空間の中に位置し、前記伸縮ばねが前記連結ロッドを復帰させることができ、前記連結ロッドの左端には左端が前記摩擦孔の左端壁を貫通して前記集光板の右端と固定的に連結されたロープが固定的に連結され、前記連結ロッドの中には右方に開口する連結孔が設置され、前記連結孔の中には右端が前記摩擦ブロックと固定的に連結された位置制限ロッドがスライド可能に連結されている。
【００１０】
さらに、前記伸縮ばねの弾力は前記トーションばねの弾力と、前記連結ロッドと前記連結孔との間の摩擦力との総合より大きく、前記回転軸と前記回転ロッドの左右端面との間の距離は、前記回転軸と前記回転ロッドの下端との間の距離より長い。
【発明の効果】
【００１１】
本願発明の有益な効果は：本願発明は構成が簡単で、操作が便利で、鉛直及び水平との二つの作動状態で任意に変換できるため、車両底部の深いところに入るまたは外部の地面にまっすぐに立つのが便利である。また、本願発明はニーズによって集光と拡散との二つの機能を任意に変換でき、適用範囲を拡大し、作業員が車両底部の状況がはっきり見えて内部構造に入るのに便利を与え、メンテナンス用品を支える場所を提供し、メンテナンスに便利を与える。
【図面の簡単な説明】
【００１２】
下記に図１〜４をあわせて本願発明について詳しく説明し、便利に説明するために、下記の方向を以下のように規定する：図１は本願発明装置の正面図であり、以下に述べる上下左右前後の方向と図１の自身投影関係の上下左右前後の方向とが一致である。
【００１３】
【図１】図１は本願発明実施例の構成概略図
【図２】図２は本願発明実施例の図１におけるＡの正面拡大図
【図３】図３は本願発明実施例の図１におけるＢの正面拡大図
【図４】図４は本願発明実施例の図１におけるＣの正面拡大図
【発明を実施するための形態】
【００１４】
図１〜４に記載の車両メンテナンス用の照明装置は、ベース１０を含み、前記ベース１０の上端には固定台１１が固定的に連結され、前記固定台１１の中には上方に開口する旋転空間５１が設置され、前記旋転空間５１の中には上端が外部空間に位置する旋転柱５９が設置され、前記旋転柱５９の中には上方に開口する回転空間３６が設置され、かつ前記回転空間３６の左右端壁が外部空間に連通し、前記回転空間３６の中には上端が外部空間に位置する回転ロッド３１が設置され、前記旋転空間５１の左右端壁の中には前記回転ロッド３１の回転を制限する支持機構６１が設置され、前記旋転柱５９の中には前記支持機構６１の運動を制限する位置制限機構６２が設置され、前記回転ロッド３１の上側には照明機能を有する照明機構６０が設置され、前記照明機構６０は作動ブロック４４を含み、前記回転ロッド３１の中には上方に開口する伸縮空間３２が設置され、前記伸縮空間３２の中には上端が前記作動ブロック４４と固定的に連結された伸縮ロッド３０が設置され、前記作動ブロック４４の左端面には照明灯ホルダ５５が固定的に連結され、前記照明灯ホルダ５５の左端には照明用の電球２３が装着され、前記照明灯ホルダ５５の前後上下の端面にはいずれも二枚の固定ブロック５８が固定的に連結され、二枚の前記固定ブロック５８の間には旋転軸５７が回転可能に連結され、前記旋転軸５７には集光機能を有する集光板２２が回転可能に連結され、前記集光板２２と前記旋転軸５７とがトーションばね５６により連結され、前記照明灯ホルダ５５にはまた前記照明灯ホルダ５５の左端に貫通された回転ブロック２５がスライド可能に連結され、前記回転ブロック２５には前記回転ブロック２５の左端に貫通された支持板２１がスライド可能に連結され、前記回転ブロック２５の上端には上端が上側の前記集光板２２の上端面と固定的に連結された連結紐２４が固定的に連結され、前記作動ブロック４４の中にはまた前記集光板２２の回転を制御する制御機構６３が設置され、手動で前記照明機構６０及び前記制御機構６３を操作することで、前記集光板２２が回転でき、そうして集光或いは光り拡散を実現する。
【００１５】
有益なように、前記支持機構６１は前記旋転柱５９の上端に貫通された制限板１９を含み、前記旋転空間５１の左右端壁の中にはいずれも上方に開口する支持空間４１が設置され、前記支持空間４１の中には支持ロッド１８及び支持ばね４０が設置され、前記支持ロッド１８の上端が前記制限板１９と固定的に連結され、前記支持ばね４０が前記支持ロッド１８を支え、前記支持ロッド１８の中には位置制限孔１７が設置され、前記位置制限孔１７において前記旋転空間５１に近接する端壁が前記支持空間４１に連通し、前記支持空間４１において前記旋転空間５１に近接した端壁の中には貫通空間５０が設置され、前記貫通空間５０が前記旋転空間５１と前記支持空間４１とを連通させ、前記貫通空間５０の下端壁の中には上方に開口するスライド溝５３が形成され、前記貫通空間５０の中には一端が前記旋転空間５１の中に位置する位置制限ブロック４９が設置され、前記スライド溝５３の中にはばねロッド５２及びスライドばね５４が設置され、前記ばねロッド５２の上端が前記位置制限ブロック４９と固定的に連結され、前記スライドばね５４が前記ばねロッド５２と前記スライド溝５３の端壁とを連結し、前記制限板１９の上端面の中にはまた上方に開口する押し空間３５が設置され、前記押し空間３５の中にはタッチスイッチ３３及び復帰ばね３４が設置され、前記タッチスイッチ３３の上端が外部空間に位置し、前記復帰ばね３４が前記タッチスイッチ３３を支える。
【００１６】
有益なように、前記位置制限機構６２は前記回転空間３６の前後端壁の間に回転可能に連結された回転軸２０を含み、前記回転軸２０が前記回転ロッド３１の下端を貫通し、かつ前記回転ロッド３１と固定的に連結され、前記回転空間３６の下端壁の中には上方に開口する上げ空間３９が設置され、前記上げ空間３９の中には上げロッド３８及び下押しばね１６が設置され、前記上げロッド３８の上端が前記回転空間３６の中に位置し、前記下押しばね１６が前記上げロッド３８を支え、前記上げロッド３８の上端には上端が前記回転ロッド３１の下端と接触する上げ板３７が固定的に連結され、前記上げ空間３９の下端壁の中には下押し空間１４が設置され、前記下押し空間１４の下端壁の中には環状空間１２が設置され、前記環状空間１２の外端壁が前記旋転空間５１に連通し、かつ前記環状空間１２の上端壁が前記下押し空間１４に連通し、前記環状空間１２の中には上端が前記下押し空間１４の中に位置する環状エアクッション４２が設置され、前記環状エアクッション４２の上側にはまた前記下押し空間１４の中で昇降できる下押し板１３が設置され、前記下押し板１３の上端には上端が前記上げロッド３８の下端と固定的に連結された下押しロッド１５が固定的に連結され、前記回転ロッド３１の中には上方に開口する伸縮空間３２が設置され、前記伸縮空間３２の中には上端が前記回転ロッド３１の上端壁を貫通して前記作動ブロック４４と固定的に連結された伸縮ロッド３０が設置されている。
【００１７】
有益なように、前記制御機構６３は上方に開口する摩擦空間２７を含み、前記摩擦空間２７の中には上端が外部空間に位置する摩擦ブロック２９が設置され、前記摩擦ブロック２９の上端には摩擦板２８が固定的に連結され、前記摩擦空間２７の左端壁の中には右方に開口する摩擦孔４５が四つ設置され、前記摩擦孔４５の中には連結ロッド４６及び伸縮ばね４３がスライド可能に連結され、前記連結ロッド４６の右端が前記摩擦空間２７の中に位置し、前記伸縮ばね４３が前記連結ロッド４６を復帰させることができ、前記連結ロッド４６の左端には左端が前記摩擦孔４５の左端壁を貫通して前記集光板２２の右端と固定的に連結されたロープ２６が固定的に連結され、前記連結ロッド４６の中には右方に開口する連結孔４７が設置され、前記連結孔４７の中には右端が前記摩擦ブロック２９と固定的に連結された位置制限ロッド４８がスライド可能に連結されている。
【００１８】
有益なように、前記伸縮ばね４３の弾力は前記トーションばね５６の弾力と、前記連結ロッド４６と前記連結孔４７との間の摩擦力との総合より大きく、前記回転軸２０と前記回転ロッド３１の左右端面との間の距離は、前記回転軸２０と前記回転ロッド３１の下端との間の距離より長い。
【００１９】
初期状態の時、前記トーションばね５６が捻られる状態にある。
【００２０】
車両底部を照らす時、制限板１９を下方に押すことにより、支持ロッド１８が駆動されて下方に運動し、制限板１９の下方への運動により回転ロッド３１が制限されなくなり、この時、作動ブロック４４を右方に押し動かすことで、作動ブロック４４と回転ロッド３１が駆動されて回転し、回転ロッド３１と作動ブロック４４が鉛直状態から水平状態に変え、回転ロッド３１が九十度回転してからタッチスイッチ３３と接触する時、タッチスイッチ３３が作動して電球２３を制御して発光させ、回転ロッド３１の回転がタッチスイッチ３３を駆動して運動させ、復帰ばね３４が圧縮される。
【００２１】
制限板１９が一番下側に運動した時、位置制限孔１７と貫通空間５０とが同一平面に位置し、回転ロッド３１が九十度回転した後に上げ板３７を駆動して下方に運動させることで、上げロッド３８と下押しロッド１５が下方に運動し、下押しばね１６が圧縮され、また下押し板１３が下方に運動し、下押し空間１４が運動する時に環状エアクッション４２が圧縮されて前後左右へ膨らむことで、位置制限ブロック４９が駆動されて旋転空間５１から離れた方向に運動し、位置制限ブロック４９において旋転空間５１から離れた一端が位置制限孔１７の中に入ることで、支持ロッド１８の復帰を制限する。
【００２２】
手動で作動ブロック４４を引き動かすことにより、伸縮ロッド３０が駆動されて移動し、電球２３の照明できる距離を延ばし、手動ですでに九十度回転した作動ブロック４４を押し動かすことで、作動ブロック４４が回転ロッド３１及び旋転柱５９を駆動して回転させ、照明範囲を拡大する。
【００２３】
作動ブロック４４が九十度回転した後、作業員は支持板２１にツールを置くことができ、四枚の集光板２２を介して電球２３からの光線を集め、作業員が車両底部の深いところにある構造を観察するのに便利を与え、支持板２１に置かれているツールを使用する時、手動で支持板２１を回転させて作業員に近づかせ、支持板２１の回転が回転ブロック２５の回転を駆動し、連結紐２４の動力伝達を通して上側の集光板２２を回転させ、支持板２１が百八十度回転した後、上側の集光板２２が引き動かされてひっくり返されることで、電球２３から発した光線が支持板２１にあるツールを照らし、作業員が車両底部との暗い場所で所要のツールを選び、上側の集光板２２が回転した後、上側のトーションばね５６が復帰し、その後、上側のロープ２６を引き動かすことで、上側の伸縮ばね４３が圧縮され、そして上側の連結ロッド４６が移動する。
【００２４】
手動で支持板２１を回転させて復帰させる時、回転ブロック２５が駆動されて回転復帰し、連結紐２４が緩み、上側の伸縮ばね４３が復帰して連結ロッド４６を駆動し、連結ロッド４６が運動して復帰し、上側のロープ２６を引き動かすことで、上側の集光板２２が回転して復帰し、上側のトーションばね５６が再び捻られる。
【００２５】
集光板２２で集光必要がない時、手動で摩擦板２８を押し動かして移動させることにより、摩擦ブロック２９と摩擦空間２７とが駆動されて移動し、連結ロッド４６が駆動されて移動し、伸縮ばね４３が圧縮され、ロープ２６が緩み、トーションばね５６が復帰し、旋転軸５７と集光板２２とが駆動されて回転して復帰し、集光板２２が電球２３からの光線を集めなくなり、作業員が車両底部の状況を観察するのに便利を与える。
【００２６】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本願発明は車両メンテナンス用の照明装置を開示した。
【解決手段】
ベースを含み、前記ベースの上端には固定台が固定的に連結され、前記固定台の中には上方に開口する旋転空間が設置され、前記旋転空間の中には上端が外部空間に位置する旋転柱が設置され、前記旋転柱の中には上方に開口する回転空間が設置され、かつ前記回転空間の左右端壁が外部空間に連通し、本願発明は構成が簡単で、操作が便利で、鉛直及び水平との二つの作動状態で任意に変換できるため、車両底部の深いところに入るまたは外部の地面にまっすぐに立つのが便利である。また、本願発明はニーズによって集光と拡散との二つの機能を任意に変換でき、適用範囲を拡大し、作業員が車両底部の状況がはっきり見えて内部構造に入るのに便利を与え、メンテナンス用品を支える場所を提供し、メンテナンスに便利を与える。
【選択図】図１【図１】
0006808128.tif 000002
【図２】
0006808128.tif 000003
【図３】
0006808128.tif 000004
【図４】
0006808128.tif 000005